(57)【特許請求の範囲】
【請求項１】
嵌合入口部を通して挿入された雄端子と嵌合する嵌合部に、前記雄端子と弾性的に接触する弾性接触部を備えた雌端子であって、
前記嵌合部のうち、前記弾性接触部と対向する側には、曲げ成形により前記嵌合部を形成する導電性金属片の断面周方向の一端部と他端部との間の中間部位に固定接触部を形成し、
該固定接触部に、前記雄端子と接触してこれの変位を規制する一対の位置規制部を備えるとともに、
前記弾性接触部を、前記固定接触部の側方の部位から該固定接触部と対向する位置まで延ばして形成しており、
前記雄端子が前記位置規制部と接触する一対の接触部の接線がなす角度θを１２０°＜θ＜１５０°とし、
該角度θは、前記嵌合入口部側の前記雄端子との接触部における角度よりも、前記嵌合部の奥側の前記雄端子との接触部における角度の方が狭い
雌端子。
【請求項２】
前記嵌合部の固定接触部に、雄端子の挿入方向と略平行なビード部からなる前記位置規制部を形成し、
前記ビード部を、前記嵌合部の長手方向において、前記嵌合入口部から、嵌合時における前記雄端子の先端位置と同じか、若しくは該先端位置よりもさらに雄端子挿入方向に延長した
請求項１記載の雌端子。
【請求項３】
前記ビード部は、その長手方向の中間部分が凹形状に湾曲している
請求項２記載の雌端子。
【請求項４】
前記弾性接触部は、前記雄端子が前記嵌合部において嵌合している時に、前記雄端子と前記ビード部とが接触している前記嵌合部の嵌合入口部側の接触部と、前記嵌合部の奥側の接触部との距離が等しくなるように配設される
請求項２または３記載の雌端子。
【請求項５】
前記嵌合部の固定接触部に、前記弾性接触部の弾性力の方向と直交する平面に対して傾斜する一対の傾斜部を有するとともに、
前記位置規制部を、前記傾斜部の内面側に形成した
請求項１記載の雌端子。
【発明の詳細な説明】
【技術分野】
【０００１】
この発明は、嵌合入口部を通して挿入された雄端子と嵌合する嵌合部に、前記雄端子と弾性的に接触する弾性接触部を備えた雌端子に関する。
【背景技術】
【０００２】
一般に、自動車用ワイヤハーネス等に使用される一対のコネクタは、一方のコネクタが雌端子とされ、他方のコネクタが前記雌端子に挿入、嵌合可能な雄端子とされる場合が多い。
【０００３】
このうち、下記特許文献１では、雌端子の内部に弾性接触片が配置されたものが開示されており、この弾性接触片と対向する頂壁には、その長手方向と略平行に延びる一対の内向きビードが形成されている。このため、雄端子を雌端子に挿入した時には、雄端子が弾性接触片とビードとの間に挟まれた状態で電気的に接続されることになる。
【０００４】
この場合、弾性接触片の弾性力により、雄端子を雌端子に嵌合させたときの接触圧、即ち把持力を増大させることができるため、電気的接触の信頼性を高めることができる。
【０００５】
また、下記特許文献２では、挿入された雄端子の外周に、弾性接触片及び前記ビードに相当する２つの電気接点を円周方向に等間隔、即ち１２０°の角度を隔てて配設したものが開示されている。
【０００６】
このため、下記特許文献２に開示された構造では、電気接点と雄端子との接点を通る２本の接線が６０°の角度をもって交差することになり、この交差角６０°という狭い角度によって十分な楔効果が得られる。
【０００７】
従って、下記特許文献２に開示された構造では、前記楔効果による高い把持力によって、挿入された雄端子を所定の嵌合位置に安定して保持することを可能にしている。
【０００８】
【特許文献１】特開２０００−２１５９４０号公報
【特許文献２】特開平５−２５１１２６号公報
【発明の開示】
【発明が解決しようとする課題】
【０００９】
ところで、近年では、回路構成の複雑化等に伴いコネクタの端子数が増える傾向にあり、上述したように雄雌端子同士を嵌合させるタイプのコネクタにおいては、端子数の増加に伴ってコネクタ同士を接続する際に大きな挿入力が必要とされている。よって、近年では、コネクタの嵌合作業を容易化するために、雄端子の挿入力を低減させることが強く望まれている。
【００１０】
そこで、逆にコネクタ嵌合作業の容易化を重視して前記挿入力の低減を図ろうとすると、今度は把持力の低下を招くという問題がある。仮に、雌端子の把持力が不十分であると、温度上昇に伴うコネクタの膨張や振動発生等の影響によって嵌合状態にある両端子の接点が変位し易くなり、場合によっては、両端子の接点の変位によって電気信号に雑音が入り、瞬間的に通電状態が切断されるといった事態を引き起こしてしまう。
【００１１】
この発明は、簡易な構造でありながら、雄端子との嵌合状態における把持力の確保と、雄端子の挿入時に必要とされる挿入力の低減の両立を実現できる雌端子を提供することを目的とする。
【課題を解決するための手段】
【００１２】
この発明の雌端子は、嵌合入口部を通して挿入された雄端子と嵌合する嵌合部に、前記雄端子と弾性的に接触する弾性接触部を備えた雌端子であって、前記嵌合部のうち、前記弾性接触部と対向する側には、曲げ成形により前記嵌合部を形成する導電性金属片の断面周方向の一端部と他端部との間の中間部位に固定接触部を形成し、該固定接触部に、前記雄端子と接触してこれの変位を規制する一対の位置規制部を備えるとともに、前記弾性接触部を、前記固定接触部の側方の部位から該固定接触部と対向する位置まで延ばして形成しており、前記雄端子が前記位置規制部と接触する一対の接触部の接線がなす角度θを１２０°＜θ＜１５０°とし、該角度θは、前記嵌合入口部側の前記雄端子との接触部における角度よりも、前記嵌合部の奥側の前記雄端子との接触部における角度の方が狭いものである。
【００１３】
この発明の一実施態様においては、前記嵌合部の固定接触部に、雄端子の挿入方向と略平行なビード部からなる前記位置規制部を形成し、前記ビード部を、前記嵌合部の長手方向において、前記嵌合入口部から、嵌合時における前記雄端子の先端位置と同じか、若しくは該先端位置よりもさらに雄端子挿入方向に延長したものである。
【００１４】
この発明の一実施態様においては、前記ビード部は、その長手方向の中間部分が凹形状に湾曲しているものである。
【００１５】
この発明の一実施態様においては、前記弾性接触部が、前記雄端子が前記嵌合部において嵌合している時に、前記雄端子と前記ビード部とが接触している前記嵌合部の嵌合入口部側の接触部と、前記嵌合部の奥側の接触部との距離が等しくなるように配設されるものである。
【００１６】
この発明の一実施態様においては、前記嵌合部の固定接触部に、前記弾性接触部の弾性力の方向と直交する平面に対して傾斜する一対の傾斜部を有するとともに、前記位置規制部を、前記傾斜部の内面側に形成したものである。
【００１７】
この発明の一実施態様においては、前記角度θについて、前記嵌合入口部側の前記雄端子との接触部における角度よりも、前記嵌合部の奥側の前記雄端子との接触部における角度の方が狭いものである。
【発明の効果】
【００１８】
この発明によれば、角度θの範囲を１２０°＜θ＜１５０°とすることにより、適度な楔効果を得ることができ、簡易な構造でありながら、雄端子との嵌合状態における把持力の確保と、雄端子の挿入時に必要とされる挿入力の低減を両立することができる。
【発明を実施するための最良の形態】
【００１９】
以下、図面に基づいて本発明の実施形態を詳述する。  
（第１実施形態）  
まず、図１〜図９に示す第１実施形態について説明する。図１は、本実施形態に係る雌端子１を示す平面図であり、図２は、図１におけるＡ−Ａ線矢視断面図、図３（ａ）は、嵌合部１２の構造を示す要部拡大図、図３（ｂ）は、図３（ａ）におけるＢ−Ｂ線矢視断面図、図４は、突起部１２ｅと雄端子２とが接触している点を通り、雄端子２の挿入方向に垂直な面における断面図である。
【００２０】
本実施形態に係る雌端子１においては、図１に示すように、その一端に雄端子２を雌端子１内に通すための嵌合入口部１１及び、雄端子２と嵌合する嵌合部１２を備え、他端には、導体把持用切片１３及び絶縁被覆把持用切片１４を備えている。
【００２１】
雌端子１には、先端側の絶縁被覆３１が除去されて導体３２が露出した絶縁電線３が接続されている。導体３２は導体把持用切片１３の両端をかしめることにより把持されるとともに、導体３２が露出した部分から長手方向に少し離間した位置で絶縁被覆３１は絶縁被覆把持用切片１４の両端をかしめることにより把持されている。
【００２２】
嵌合部１２は、図２に示すように、蓋部１２ａ、側面部１２ｂ、底面部１２ｃを備え、箱型形状をなしている。そして、蓋部１２ａの内側には、嵌合部１２の内側に突出する弾性片１２ｄが設けられ、最も内側に突出した部分には突起部１２ｅが設けられている。なお、突起部１２ｅは、略半球状の突起であると、雄端子２との接触面積が小さくなるので好ましい。
【００２３】
また、弾性片１２ｄ及び突起部１２ｅと対向する嵌合部１２の底面部１２ｃには、図２及び図３に示すように、雄端子２の挿入方向と略平行な一対のビード部１５、１５が備えられ、これにより雄端子２の位置規制部が形成されている。
【００２４】
ビード部１５、１５は、嵌合部１２とは一体部材とされ、底面部１２ｃの幅方向（嵌合部１２の長手方向及び弾性片１２ｄの弾性力の方向に対して直交する方向）の両端に位置している。また、ビード部１５、１５の長手方向両端には、それぞれ、図３（ａ）に示すように中間部分１５ａに対して突出する突出部１５ｂが形成され、中間部分１５ａは側面視で凹形状に湾曲している。
【００２５】
また、一対のビード部１５、１５は、図４に示すように、底面部１２ｃに対してその内面側が傾斜しており、両者が底面部１２ｃを下とした場合左右対称となっている。
【００２６】
なお、本実施形態では、ビード部１５、１５の内面側は、側面部１２ｂから底面部１２ｃにかけて、略平面に形成されている（図４参照）。このようにすれば、本実施形態では雄端子２の断面は矩形であり、かつ、雄端子２が傾いた状態で雌端子１に挿入されても、挿入されていく過程で、前記傾きが修正されて、図４のように雌端子１の側面部１２ｂと雄端子２の側面が平行になる。これにより安定した把持力が得られて好ましい。
【００２７】
また、嵌合部１２は、図４に示すように、１枚の導電性金属片の断面が正面視で略矩形状をなすように折り曲げ成形されることで、蓋部１２ａ、側面部１２ｂ、底面部１２ｃ、弾性片１２ｄが一体成形されており、そのうち、弾性片１２ｄは、その外側が蓋部１２ａによって覆われるようになっている。
【００２８】
ところで、このような構成をなす雌端子１に対して、図中二点鎖線で示すように断面矩形状の雄端子２を挿入した場合、弾性片１２ｄの突起部１２ｅは、雄端子２と電気的接続を行うために雄端子２と弾性的に接触するようになっており、同時に、ビード部１５は、嵌合部１２内に挿入された雄端子２の両側と接触してこれの変位を規制するようになっている。このため、雄端子２を雌端子１の所定の嵌合位置に保持することが可能になっている。
【００２９】
また、雌端子１に雄端子２を挿入する際には、雄端子２は弾性片１２ｄの弾性力及びビード部１５、１５がなすＶ字状の斜面によって楔効果による抵抗力を受ける。この場合、雄端子２は、ビード部１５、１５との接触により、その斜面に対して直交する方向（図４にて矢印で示す方向）の抵抗力Ｆ１を受けることになる。このため、雄端子２を雌端子１に挿入する際には、この抵抗力Ｆ１に摩擦力を掛けた値に相応する挿入力を要することになる。
【００３０】
ここで、雄端子２が嵌合部１２内に挿入される際、弾性片１２ｄの弾性力により雄端子２がうける弾性力をＰとし、さらに、図４、図５に示すように、２つのビード部１５、１５の両斜面によって形成される角度（雄端子２が位置規制部と接触する一対の接触部の接線がなす角度、即ち、雄端子２がビード部１５との接触により受ける抵抗力Ｆ１の方向と直交する２本の線がなす角度）をθとすると、図５に示すように、弾性力Ｐの方向と抵抗力Ｆ１の方向とがなす角度はｃｏｓ（９０−θ／２）であるため、抵抗力つまり挿入力Ｆ１は、Ｆ１＝Ｐ×１／ｃｏｓ（９０−θ／２）で表すことができる。
【００３１】
また、雄端子２が挿入され、雌端子１と嵌合した後に発生する雄端子２の把持力は、図５に示す力Ｆ１の分力である横方向の力Ｆ２に依存することになり、把持力はこの力Ｆ２と摩擦力とによって求めることができる。
【００３２】
即ち、分力Ｆ２は、Ｆ２＝Ｐ×ｔａｎ（９０−θ／２）で表すことができ、さらに摩擦力を考慮する場合、例えば摩擦係数をαとすると、摩擦角λをα＝ｔａｎλで表すことができるため、その結果ビード部１５による把持力はＰ×ｔａｎ（９０＋λ−θ／２）で表すことができる。
【００３３】
図６は、上式における角度θを変化させた場合の挿入力及び把持力の算出結果を示しており、ここでは摩擦力αを０．２５として計算している。図６によれば、接触力及び把持力は、いずれもθを大きく設定する程数値が減少し、逆にθを小さく設定する程数値が増大する傾向にある。しかしながら、接触力及び把持力の変化の度合いは大きく異なっており、挿入力の変化に対して把持力の変化がはるかに大きくなっている。
【００３４】
そこで、本発明者は、挿入力と把持力の変化の度合いが大きく異なることに着目して、簡易な構造でありながら、適度な楔効果により雄端子との嵌合状態における把持力の確保と、雄端子の挿入時に必要とされる挿入力の低減を両立できる角度θの好適な範囲が１２０°＜θ＜１５０°であることを見出した。
【００３５】
つまり、角度θが１２０°より小さいと、挿入力が１．１５Ｐ程度となりその増大が無視できないレベルとなり、逆に１５０°よりも大きいと、ビード部１５の把持力が０．５Ｐ程度と小さくなりすぎて把持力を確保することができなくなってしまう。例えば、角度θが１５０°の場合、上式Ｐ×ｔａｎ（９０＋λ−θ／２）の値が約０．５Ｐとなるが、この０．５Ｐという数値は、摩擦力のみによっても確保することができる数値である。このため、角度θの好適な範囲の極限が１５０°とされている。
【００３６】
また、特に、好ましくは、角度θの範囲を１２５°＜θ＜１３５°とすることで、図示のように挿入力を約１．０６Ｐ〜１．１３Ｐの範囲に抑制しつつも、ビード部１５の把持力を約０．７４Ｐ〜０．８９Ｐにまで向上させることができる。従って、以上の結果から、角度θの範囲は１２５°＜θ＜１３５°が最適であるといえる。
【００３７】
ところで、雄端子２を雌端子１の嵌合部１２に嵌合させた後においては、絶縁電線３が図７中の矢印で示す方向（嵌合部１２の長手方向及び弾性片１２ｄの弾性力の方向に対して直交する方向）に引張られると、弾性片１２ｄの弾性力の方向と直交する平面に沿って回転モーメントＭ１が発生するという問題がある。この場合、回転モーメントＭ１の程度によっては、両端子１、２の接点が変位する虞がある。
【００３８】
そこで、本実施形態では、ビード部１５を、嵌合部１２の長手方向において、嵌合入口部１１から、嵌合時における雄端子２の先端位置と同じか、若しくは該先端位置よりもさらに雄端子２の挿入方向に延長した位置まで延びている。これにより、上述したような回転モーメントＭ１が発生した場合であっても、雄端子２に対する雌端子１の相対回転を確実に抑制でき、両者の接触の安定性を確保することができる。
【００３９】
また、本実施形態では、突出部１５ｂ、１５ｂに対して中間部分１５ａを凹形状に湾曲させることによって、挿入された雄端子２の先端側を中間部分１５ａまたは奥側の接触部１５ａで確実に把持しつつ、根元側を嵌合入口部１１側の突出部１５ｂで確実に把持できるようにしている。これにより、嵌合部１２において回転モーメントＭ１を確実に受け止めることができるので好ましい。
【００４０】
なお、上述のように、中間部分１５ａを凹形状に湾曲させる場合には、単に中間部分１５ａを凹形状に湾曲させるのみとし、ビード部１５においては必ずしもその長手方向の両端に突出部１５ｂ、１５ｂを形成しなくてもよい。
【００４１】
ところで、雄端子２を雌端子１の嵌合部１２に嵌合させた後に発生し得る回転モーメントとしては、上述した回転モーメントＭ１以外にも、図８（ａ）に示すように、絶縁電線３を弾性片１２ｄの弾性力の方向と同じ方向に引張った場合の回転モーメントＭ２や、図８（ｂ）に示すように、絶縁電線３を弾性片１２ｄの弾性力の方向に対して反対方向に引張った場合の回転モーメントＭ３がある。
【００４２】
この場合、図８（ａ）では、嵌合入口部１１側の突出部１５ｂを支点Ｘ、突起部１２ｅを作用点とした回転モーメントＭ２が発生する一方、図８（ｂ）では、雄端子２の先端とビード部１５との接触部を支点Ｙ、突起部１２ｅを作用点とした回転モーメントＭ３が発生する。
【００４３】
従って、支点Ｘ、Ｙと突起部１２ｅとの間の距離Ｄ０、Ｄ１が異なると、引張力の方向の違いによって発生する回転モーメントＭ２、Ｍ３に差が生じることになる。このため、突起部１２ｅの位置を適切に設定しないと、引張力の方向の違いによって回転モーメントの値に偏りが生じ、絶縁電線３が一方に引張られた時には小さい回転モーメントで済むものの、他方に引張られた時には過剰な回転モーメントが発生して雄端子２に大きな負荷がかかるといった事態を引き起こしてしまう。
【００４４】
そこで、本実施形態では、嵌合部１２において、嵌合部１２内における雄端子２の嵌合位置を予め設定するようにしており、その嵌合位置を図９（ａ）に示す位置とした場合、突起部１２ｅは、雄端子２が前記嵌合位置で嵌合している時に、雄端子２とビード部１５とが接触している嵌合部１２の嵌合入口部１１側の接触部と、嵌合部１２の奥側の接触部との距離が図９（ａ）に示すように、双方ともＤ０となって等しくなるように配設されている。
【００４５】
これにより、回転モーメントＭ２、Ｍ３の値に偏りが生じることを抑制し、引張力の方向次第で雄型端子２に過剰な負荷がかかることを抑制できるため、好ましい。
【００４６】
但し、雄端子２の長さのばらつきや、絶縁電線３の引張りによって図９（ｂ）、（ｃ）に示すように、雄端子２の挿入長さが異なる場合がある。その場合でも、突起部１２ｅは距離２Ｄ０の区間内にあれば良く、中心に近ければ近い程良い。
【００４７】
なお、雌端子１の仕様等により雄端子２は概ね図９（ａ）に示すような所定の嵌合位置に位置決めされ、図９（ｂ）、（ｃ）に示すような嵌合位置となる頻度は極めて低い。従って、突起部１２ｅの位置は、雄端子２が所定の嵌合位置にある場合を基にして設定されるのが好ましい。
【００４８】
なお、このように回転モーメントＭ１〜Ｍ３の発生を考慮してビード部１５及び突起部１２ｅを配置する効果は、例えば、車両内に配索される絶縁電線３同士を接続する場合より顕著となる。これは、車両においては、その走行時の車両自身の振動等によって回転モーメントＭ１〜Ｍ３が発生し易くなるという事情があるからであり、ビード部１５、突起部１２ｅの位置を上述のように設定することによって、車両の振動に十分耐え得る接続構造とすることができる。
【００４９】
また、角度θは、雌端子１の嵌合入口部１１側の接触部における角度よりも、嵌合部１２の奥側の接触部における角度の方が狭い（角度の値が小さい）方が、さらに把持力が安定するので好ましい。
【００５０】
（第２実施形態）  
なお、上述した第１実施形態では、雄端子２として断面矩形状のものを使用した場合を示しているが、この他にも、図１０に示すように、断面円形状の雄端子２’が使用される場合もある。そこで、このような場合には、図示のように正面視で半円弧状をなす一対のビード部１５’により雄端子２’を把持するようにしてもよい。
【００５１】
本実施形態の場合、雄端子２’が描く円とビード部１５’が描く円弧との接点が接触部となり、第１実施形態の角度θに相当する角度は、雄端子２’とビード部１５’との接触部を通る接線Ｌ、Ｌがなす角度により定義することができる。そして、本実施形態においても、第１実施形態と同様角度θの範囲を１２０°＜θ＜１５０°、より好ましくは１２５°＜θ＜１３５°とすることで、略同様の効果を奏する。
【００５２】
なお、図１０においては、突起部を設けられておらず、弾性片１２ｄが突起部としての役割を兼ねている。
【００５３】
（第３実施形態）  
また、図１〜図１０に示した第１、第２実施形態では、嵌合部１２の底面部１２ｃの幅方向両側に、ビード部１５を備えているが、本発明は必ずしもこれに限定されることはなく、例えば、図１１に示す雌端子５０のように、蓋部５２ａ、側面部５２ｂ、底面部５２ｃ、弾性片５２ｄ及び突起部５２ｅを備える嵌合部５２において、その下部が略Ｕ字型をなし、１枚の導電性金属片の断面が正面視で略Ｄ字型をなすものであってもよい。
【００５４】
本実施形態では、嵌合入口部５１を通して挿入された雄端子２に対して弾性片５２ｄが付与する弾性力の方向と直交する平面に対して斜めに傾斜する一対の傾斜部５２ｃ１、５２ｃ１を底面部５２ｃが有しており、第１、第２実施形態のビード部１５に相当する位置規制部５２ｃ２を傾斜部５２ｃ１の内面側に形成している。
【００５５】
このため、別途ビード部を備えなくても第１、第２実施形態と同様、傾斜部５２ｃ１、５２ｃ１の楔効果によって雄端子２を安定して把持することができる。この場合、第１実施形態の角度θに相当する角度は、底面部５２ｃの両傾斜部５２ｃ１、５２ｃ１により形成される角度（雄端子２が位置規制部と接触する一対の接触部の接線がなす角度、即ち、雄端子２が位置規制部５２ｃ２との接触により受ける力の方向と直交する２本の線がなす角度）により定義することができ、本実施形態においても、第１、第２実施形態と同様角度θの範囲を１２０°＜θ＜１５０°、より好ましくは１２５°＜θ＜１３５°とすることで、略同様の効果を奏する。
【００５６】
なお、図１１に示す構成に関連して、傾斜部５２ｃ１の内面側に第１実施形態で示したようなビード部をさらに備えるようにしてもよい。
【００５７】
（その他の実施形態）  
なお、上述した各実施形態では、一対のビード部１５、１５、１５’、１５’、及び位置規制部５２ｃ２、５２ｃ２を左右対称に備えることとしたが、必ずしもこれに限定されることはなく、非対称でも本発明の効果を有する。但し、左右対称にした方が、安定した把持力が得られるので好ましい。
【００５８】
また、上述した各実施形態では、雌端子１において、１枚の導電性金属片の断面が正面視で略矩形状をなす箱型とされ、また、雌端子５０においては、略Ｄ字型をなすものとされているが、例えば、断面が正面視で円形をなす円筒形のものであってもよい。
【００５９】
また、ビード部に関しては、例えば、雌端子をプレス加工して、嵌合部の内側へ突出させることによりビード部を形成するようにしても良いし、別途の導電性金属片を配設するようにしてもよい。
【００６０】
なお、第２、第３実施形態において、図１〜図９を参照して説明した第１実施形態と同様の構成要素については、同一符号を付して、その詳しい説明を省略する。
【００６１】
この発明の構成と、上述の実施形態との対応において、
この発明の弾性接触部は、弾性片１２ｄ、突起部１２ｅ、５２ｅに対応し、
以下同様に、
固定接触部は、底面部１２ｃ、５２ｃに対応し、
位置規制部は、ビード部１５、１５’、位置規制部５２ｃ２に対応するも、
この発明は、上述の実施形態の構成のみに限定されるものではなく、多くの実施の形態を得ることができる。
【図面の簡単な説明】
【００６２】
【図１】この発明の第１実施形態に係る雌端子を示す平面図。
【図２】図１におけるＡ−Ａ線矢視断面図。
【図３】（ａ）嵌合部の構造を示す要部拡大図、（ｂ）（ａ）におけるＢ−Ｂ線矢視断面図。
【図４】突起部と雄端子とが接触している点を通り、雄端子の挿入方向に垂直な面における断面図。
【図５】雄端子が雌端子と嵌合した際に、雄端子が受ける力の方向及びその大きさを示す図。
【図６】角度θを変化させた場合の挿入力及び把持力の算出結果を示す図。
【図７】絶縁電線を嵌合部の長手方向及び弾性片の弾性力の方向に対して直交する方向に引張った時の回転モーメントを示す図。
【図８】（ａ）絶縁電線を弾性片の弾性力の方向と同じ方向に引張った時の回転モーメントを示す図、（ｂ）絶縁電線を弾性片の弾性力の方向に対して反対方向に引張った時の回転モーメントを示す図。
【図９】（ａ）雄端子を嵌合部内の所定の嵌合位置に嵌合させた時を示す図、（ｂ）雄端子の挿入長さが所定の嵌合位置にある時よりも短い場合を示す図、（ｃ）雄端子の挿入長さが所定の嵌合位置にある時よりも長い場合を示す図。
【図１０】この発明の第２実施形態に係る雌端子を示す断面図。
【図１１】この発明の第３実施形態に係る雌端子を示す断面図。
【符号の説明】
【００６３】
１、５０…雌端子
２、２’…雄端子
１２、５２…嵌合部
１２ｄ、５２ｄ…弾性片
１２ｅ、５２ｅ…突起部
１５、１５’…ビード部
５２ｃ１…傾斜部
５２ｃ２…位置規制部
【図１】
0004729013.tif 000002
【図２】
0004729013.tif 000003
【図３】
0004729013.tif 000004
【図４】
0004729013.tif 000005
【図５】
0004729013.tif 000006
【図６】
0004729013.tif 000007
【図７】
0004729013.tif 000008
【図８】
0004729013.tif 000009
【図９】
0004729013.tif 000010
【図１０】
0004729013.tif 000011
【図１１】
0004729013.tif 000012